(57)【要約】【目的】太さの異なるごぼうのこま切れ片を整列させた状態で取り出す。【構成】固定枠と上下に往復動する移動枠を前後方向に交互に連設し、両者に開口を設けてごぼうのこま切れ片を順次転載して向きの不揃い、重なり、立てかけられ状態等をその過程で矯正し、ごぼうのこま切れ片の向きを一定方向に向かせ整列させる。【効果】上記目的を達成し、ごぼうのこま切れ片の縦割り機による作業を人手を省いて行うことができ、製造コストを低減できる。【選択図】　図１
2004008136.tif 000002
【特許請求の範囲】
【請求項１】
偏平状の固定枠と、上下往復動可能の偏平状の移動枠をそれぞれ交互に複数前後方向に連設するとともに、最前端の固定枠に供給部、最後端の固定枠又は移動枠に受容部を配設し、該供給部と最前端の固定枠（第１の固定枠）との間の隔壁に取入用開口（第１の取入用開口）を設け、該第１の固定枠に後面板を設けて送出用開口（第１の送出用開口）を設け、その他の後続の固定枠にはそれぞれに前面板及び後面板を設けて前者の前面板には上記第１の取入用開口からその直前の上記各移動枠のストロークの長さ分順次上方に位置して取入用開口（第２以降の取入用開口）を段状に設け、後者の後面板には送出用開口（第２以降の送出用開口）をそれぞれの上記各取入用開口に順次対応させて設け、上記各移動枠にはそれぞれに前面板を設けて各前面板に各移動枠の下端移動時に上記それぞれの直前の固定枠の後面板に設けた送出用開口に順次対応させて転入用開口設け、上記それぞれの固定枠及び移動枠には上記取入用開口、送出用開口及び転入用開口のそれぞれの下端部から後方に傾斜する載置板を設け、上記供給部に棒状野菜類の整列処理対象物を複数収容し、上記移動枠の下端移動時に、この収容した整列処理対象物の少なくとも１つを上記第１の取入用開口を介して上記第１の固定枠の上記載置板に移動させ載置して該固定枠に収容し、この収容した全数のうちの少なくとも一部の整列処理対象物について該固定枠の直後の上記第１の移動枠にその転入用開口を介してその載置板に移動させ載置して該移動枠に収容し、このとき収容した整列処理対象物は直後の上記第２の固定枠の前面板により後方への移動を阻止され、ついで上記第１の移動枠を上昇させてその上端移動時に、該移動枠に収容した整列処理対象物の全数のうちから少なくとも一部を該移動枠の直後の第２の固定枠にその第２の取入用開口を介してその載置板に移動させ載置して該固定枠に収容し、このとき上記第２の移動枠の前面板により整列処理対象物は後方への移動を阻止され、ついで上記第２の移動枠を下降させたその下端移動時に、上記第２の固定枠に収容した整列処理対象物の全数の少なくとも一部を第２の移動枠にその転入用開口を介してその載置板に移動させ載置して該移動枠に収容し、一方上記第１の移動枠を下降させたその下端移動時には、該第１の移動枠は上記の最初の第１の移動枠を下降させたその下端移動時の状態に戻し、以下第２の移動枠、第３の固定枠その他の後続させてもよい移動枠、固定枠についても同様のことを行ない後方の固定枠、移動枠ほどこれに収容する整列処理対象物を減らすか同じにし、最後の固定枠又は移動枠より整列処理対象物を上記受容部に整列した状態で受容する棒状野菜類の整列装置。
【請求項２】
取入用開口、送出用開口及び転入用開口は上記整列処理対象物を横向きに取り入れ、送出及び転入できるように横長に形成して、複数の固定枠、移動枠に収容される整列処理対象物は横向きに一列に上下方向に積み重なり、全数の移動枠は同時に上下往復動し、整列状態の整列対象物は最後の固定枠又は移動枠からその長さ方向が左右方向の一方向の一列に一つづつ取り出される請求項１に記載の棒状野菜類の整列装置。
【発明の詳細な説明】
【０００１】
【発明の属する技術分野】
本発明は、例えばごぼう等の棒状野菜類の定寸片を縦割り等の加工を行う際に用いると便利な例えばその定寸片を同じ向きで順次一列に供給できる棒状野菜類の整列装置に関する。
【０００２】
【従来の技術】
棒状野菜類の例えばごぼうを、例えば５〜１５ｃｍの長さにこま切れにして例えばちくわの中空部に詰め、ちくわとごぼうを一体にした食品を作ることが行われており、両方の材料が加味された食品としておでん等の材料によく用いられている。
このようなこま切れのごぼうは、元の細長いごぼうから得られるが、その元の１本のごぼうはその太さがだんだん細くなっているので、同じ長さに切ってもほぼ一定の径のちくわの中空部に詰められる太さのものと、そうでないものとが生じる。適度の太さのもののみを使用することもできるが、これでは無駄が多くなる。太すぎる場合はこれを縦割りにして断面の大きさを小さくすればよいが、これを手作業で行うのは面倒であるのみならず、例えば２つ割りのような偶数割りはできても３つや５つのような奇数割りを行うことは容易でなく、営業用のものを製造する場合にはコスト的に不可能といって良い。
そこで、本願発明者は、特許第２７５４３６８号公報に開示されているように、ごぼうについて奇数割も行えるようなごぼうのこま切れ片縦割機を提案した。
【０００３】
【発明が解決しようとする課題】
しかしながら、この機械により作業を行う場合には、ごぼうのこま切れ片を手作業で一つづつ向きを揃えてその機械に供給しなければならず、人手を要するので、コスト高になるという問題があった。
本発明の目的は、ごぼう等の棒状野菜類の太さの異なるこま切れ片、特に定寸のこま切れ片を整列した状態で取り出すことができる棒状野菜類の整列装置を提供し、そのこま切れ片の縦割り機等に対する供給について省力し、製造コストを低減することにある。
【０００４】
【課題を解決するための手段】
本発明は、上記課題を解決するために、（１）、偏平状の固定枠と、上下往復動可能の偏平状の移動枠をそれぞれ交互に複数前後方向に連設するとともに、最前端の固定枠に供給部、最後端の固定枠又は移動枠に受容部を配設し、該供給部と最前端の固定枠（第１の固定枠）との間の隔壁に取入用開口（第１の取入用開口）を設け、該第１の固定枠に後面板を設けて送出用開口（第１の送出用開口）を設け、その他の後続の固定枠にはそれぞれに前面板及び後面板を設けて前者の前面板には上記第１の取入用開口からその直前の上記各移動枠のストロークの長さ分順次上方に位置して取入用開口（第２以降の取入用開口）を段状に設け、後者の後面板には送出用開口（第２以降の送出用開口）をそれぞれの上記各取入用開口に順次対応させて設け、上記各移動枠にはそれぞれに前面板を設けて各前面板に各移動枠の下端移動時に上記それぞれの直前の固定枠の後面板に設けた送出用開口に順次対応させて転入用開口設け、上記それぞれの固定枠及び移動枠には上記取入用開口、送出用開口及び転入用開口のそれぞれの下端部から後方に傾斜する載置板を設け、上記供給部に棒状野菜類の整列処理対象物を複数収容し、上記移動枠の下端移動時に、この収容した整列処理対象物の少なくとも１つを上記第１の取入用開口を介して上記第１の固定枠の上記載置板に移動させ載置して該固定枠に収容し、この収容した全数のうちの少なくとも一部の整列処理対象物について該固定枠の直後の上記第１の移動枠にその転入用開口を介してその載置板に移動させ載置して該移動枠に収容し、このとき収容した整列処理対象物は直後の上記第２の固定枠の前面板により後方への移動を阻止され、ついで上記第１の移動枠を上昇させてその上端移動時に、該移動枠に収容した整列処理対象物の全数のうちから少なくとも一部を該移動枠の直後の第２の固定枠にその第２の取入用開口を介してその載置板に移動させ載置して該固定枠に収容し、このとき上記第２の移動枠の前面板により整列処理対象物は後方への移動を阻止され、ついで上記第２の移動枠を下降させたその下端移動時に、上記第２の固定枠に収容した整列処理対象物の全数の少なくとも一部を第２の移動枠にその転入用開口を介してその載置板に移動させ載置して該移動枠に収容し、一方上記第１の移動枠を下降させたその下端移動時には、該第１の移動枠は上記の最初の第１の移動枠を下降させたその下端移動時の状態に戻し、以下第２の移動枠、第３の固定枠その他の後続させてもよい移動枠、固定枠についても同様のことを行ない後方の固定枠、移動枠ほどこれに収容する整列処理対象物を減らすか同じにし、最後の固定枠又は移動枠より整列処理対象物を上記受容部に整列した状態で受容する棒状野菜類の整列装置を提供するものである。
また、本発明は、（２）、取入用開口、送出用開口及び転入用開口は上記整列処理対象物を横向きに取り入れ、送出及び転入できるように横長に形成して、複数の固定枠、移動枠に収容される整列処理対象物は横向きに一列に上下方向に積み重なり、全数の移動枠は同時に上下往復動し、整列状態の整列対象物は最後の固定枠又は移動枠からその長さ方向が左右方向の一方向の一列に一つづつ取り出される請求項１に記載の棒状野菜類の整列装置を提供するものである。
【０００５】
【発明の実施の形態】
次に発明の実施の形態を以下の実施例により説明する。
【０００６】
【実施例】
図１、２は本発明の一実施例の棒状野菜類の整列装置の主要部の断面図であり、それぞれ移動枠移動下端時、上端時の状態を示す。
図１、２に示すように、偏平状の固定枠（偏平縦長矩形枠）１〜５と、同時に同じストロークで上下往復動可能の偏平状の移動枠（偏平縦長矩形枠）６〜９（上下端をそれぞれ桟により連結し、往復動可能な動力で伝動機構を介して一定ストロークで上下動させる）をそれぞれ複数交互に前後方向に連設するとともに、最前端の固定枠１に供給部、例えばホッパー１０、最後端の固定枠５に受容部、例えばベルトコンベア１１を配設する。
ホッパー１０と最前端の固定枠１との間の隔壁に横長状の取入用開口（長さ３０ｃｍ、高さ１０〜１５ｃｍ）１ａを設け、この固定枠１に後面板を設けて取入用開口１ａより高さがごぼうのこま切れ片（長さ５〜１２ｃｍ、直径１〜３ｃｍ）ａの直径分（１単位分）低い送出口１ｂを設け、その他の後続の固定枠２〜５にはそれぞれに前面板及び後面板（全面でも一部でもよい）を設けて前者の前面板には上記取入用開口１ａから上記移動枠のストロークの長さ分順次上方に位置して横長状の取入用開口２ａ〜５ａを段状にかつ上記取入用開口１ａから後続の取入用開口２ａ、３ａ、４ａに到るにつれて開口の高さを順次１単位分低くして設け、取入用開口４ａと５ａは同じ高さに設ける。なお、前側は数単位で順次減らしてもよく、最後は１単位を通過できる高さにすることが好ましい。後者の後面板には送出用開口１ｂ、２ｂ、３ｂ、４ｂ、５ｂを取入用開口２ａ、３ａ、４ａ、５ａに順次対応させてそれぞれ同じ高さで連通して設ける（それぞれ１〜数単位分低くしても良い）。上記移動枠６、７、８、９にはそれぞれに前面板を設けて各前面板にこの移動枠の下端移動時に上記それぞれの直前の固定枠１、２、３、４の後面板に設けた送出用開口１ｂ、２ｂ、３ｂ、４ｂ、５ｂに順次対応させてそれぞれ同じ高さで連通して転入用開口６ａ、７ａ、８ａ，９ａを設ける（それぞれ１〜数単位分低くしても良い）。それぞれの固定枠及び移動枠には上記取入用開口、送出用開口及び転入用開口のそれぞれの下端部から後方に傾斜する載置板１ｃ〜５ｃ、６ｃ〜９ｃをそれぞれ設ける。
なお、図２の図示右上端部の切欠した断面図である図３に示すように、上記固定枠４、５は偏平角筒状、移動枠９はその後面がない枠体であり、固定枠４、５の両側面に当板１２（１２）が設けられ、移動枠９は固定枠４、５のそれぞれ後面板、前面板及び両者の間の両側の当板１２（１２）により形成される空間に収容され、机の引出しのように進退することができる。この際、各固定枠の両側面の内面と移動枠の内面は面一になり、また、載置板５ｃ、９ｃも面一となる。その他の固定枠、移動枠についても同様に形成されている。
【０００７】
このような構造において、図１に示すように、上記ホッパー１０にごぼうのこま切れ片ａをその向きは自由にして多数収容し、上記移動枠の下端移動時（ストロークの下死点）に、この収容したこま切れ片ａ、ａ・・・の４個を上記取入用開口１ａを介して上記最前端の固定枠（第１の固定枠）の上記載置板１ｃに移動させ載置して固定枠１に収容する。ここで、こま切れ片ａ、ａ・・・はその径も異なり、その向きも一定せず、最下端のものは固定枠１の側面に立てかけられた状態になっている。この収容した全数のうちから例えば１つ減らした３つのこま切れ片ａ、ａ・・について固定枠１の直後の移動枠（第１の移動枠）６にその転入用開口６ａを介してその載置板６ｃに移動させ載置して移動枠６に収容する。このとき収容した３つのこま切れ片ａ、ａ、ａは直後の固定枠（第２の固定枠）２の前面により後方への移動を阻止される。
ついで、図２に示すように、上記移動枠を上昇させてその上端移動時（ストロークの上死点）に、上記の第１の移動枠６に収容したこま切れ片ａ、ａ、ａについてその例えば１つを減らした２つを第１の移動枠６の直後の第２の固定枠２にその取入用開口２ａを介してその載置板２ｃに移動させ載置して固定枠２に収容する（図中、想像線で示したよう転載する）。このとき上記第２の移動枠７の前面によりこま切れ片ａ、ａは後方への移動を阻止される。
ついで、図１に示すように、上記移動枠を下降させたその下端移動時に、上記第２の固定枠２に収容したこま切れ片ａ、ａを第２の移動枠７にその転入用開口７ａを介してその載置板７ｃに移動させ載置して第２の移動枠７に収容する。一方、上記第１の移動枠６は残りのこま切れ片ａを載せて上記の最初の第１の移動枠６の下端移動時の状態に戻し、ここで再度固定枠１よりこま切れ片ａ、ａ・・・を取り入れる。以下、第２の移動枠７、第３の固定枠３、第３の移動枠８、第４の固定枠４、第４の移動枠９、第５の固定枠５についても同様のことを行ない後方の固定枠、移動枠ほどこれに収容するこま切れ片ａ、ａ・・の数を例えば１つづつ減らし、最後の固定枠５よりこま切れ片ａの１つを上記受容体１１に整列した状態で受容する。なお、上記いずれの工程でも上記取入用開口、送出用開口及び転入用開口はこま切れ片ａ、ａ・・を主として横向きに取り入れ、送出及び転入できるように形成する。
【０００８】
このようにすると、こま切れ片ａ、ａ・・は順次後続の固定枠、移動枠に移動するごとに向きが不揃いのものは正され、重なっているものは除かれ（固定枠３まで）、立てかけられているものは正され（主に移動枠８、固定枠４、移動枠９、固定枠５）、安定した形態、すなわち横向きに並ぶように処理されるが、これを促進するために時々移動枠を単独又は固定枠とともに振動加えるようにしてもよい。例えはこま切れ片ａの一つについてその立てかけられた状態を正すには、こま切れ片ａの固定枠、移動枠への転載は１つでもよく、固定枠、移動枠の数も減らすことができる。
なお、上記は複数の移動枠は同時に往復動したが、個別に往復動させ、いずれの場合もコンピュータ制御するようにしてもよい。
この後は、上記特許第２７５４３６８号公報に記載したごぼうのこま切れ片縦割り機に順次一列に整列した状態で供給し、その加工を行うことができる。
なお、棒状野菜類とはごぼうのほかに人参、山芋等細長野菜類で棒状のものであればこられに限らない。
【０００９】
【発明の効果】
本発明によれば、ごぼう等の棒状野菜類の太さの異なるこま切れ片、特に定寸のこま切れ片を整列した状態で取り出すことができる棒状野菜類の整列装置を提供することができ、そのこま切れ片の縦割り機等に対する供給について省力化し、製造コストを低減することができる。
【図面の簡単な説明】
【図１】本発明の一実施例の装置の主要部の一使用状態の断面説明図である。
【図２】その他の使用状態の断面説明図である。
【図３】その一部の切欠した断面図である。
【符号の説明】
１〜５　固定枠
６〜９　移動枠
１ａ〜５ａ　取入用開口
１ｂ〜５ｂ　送出用開口
６ａ〜９ａ　転入用開口
１ｃ〜９ｃ　載置板
１０　ホッパー
１１　ベルトコンベア
ａ　ごぼうのこま切れ片
【図１】
2004008136.tif 000003
【図２】
2004008136.tif 000004
【図３】
2004008136.tif 000005